(57)【要約】【課題】良好な断熱作用を備え、結露や曇りが生じ難く、耐衝撃性を有し、透視性に優れた透明中空プレートを提供する。【解決手段】非晶質のポリエチレンテレフタレート板１，１を間隔をあけて並行に二枚重ね、その四周縁を溶着して中空層３を形成した中空プレートであって、このプレートの中空層３を形成した部分の全光線透過率を４０％以上、ヘーズを３％以下とした構成の透明中空プレートＰ１とする。中空層３の断熱作用で結露や曇りを防止でき、非晶質のポリエチレンテレフタレート板１，１を使用するため耐衝撃強度が大きく、中空層３を形成した部分の全光線透過率が４０％以上、ヘーズが３％以下であるため、透明性が良好で透視性に優れる。溶着した四周縁の少なくとも二箇所に、中空層に通じる通気孔を形成してもよい。【選択図】図２
2006326947.tif 000002
【特許請求の範囲】
【請求項１】
非晶質のポリエチレンテレフタレート板を間隔をあけて並行に二枚重ね、その四周縁を溶着して中空層を形成した中空プレートであって、このプレートの中空層を形成した部分の全光線透過率が４０％以上、ヘーズが３％以下である透明中空プレート。
【請求項２】
溶着した四周縁の少なくとも二箇所に、中空層に通じる通気孔を形成した請求項１に記載の透明中空プレート。
【請求項３】
中空層に、間隔をあけた二枚の非晶質のポリエチレンテレフタレート板の一部と連結して支持する補強部を形成した請求項１又は請求項２に記載の透明中空プレート。
【発明の詳細な説明】
【技術分野】
【０００１】
本発明は、例えば保冷設備の覗き窓などの材料として好適に使用される透明中空プレートに関するものである。
【背景技術】
【０００２】
一般に、保冷設備は、ポリウレタンなどの発泡体をアルミニウム等の金属箔で挟んだサンドイッチ構造の断熱材を用いて断熱し、保冷効果を高めている。このような保冷設備においては、内部を見るために覗き窓が設けられており、この覗き窓の材料として合成樹脂プレートなどがよく使用されている。しかしながら、合成樹脂プレートで製作した覗き窓は断熱作用が少ないため、結露や曇りが生じ易いという問題があった。
【０００３】
一方、断熱作用を有する透明板として、例えば、二枚の透明ガラス板の四周縁の間に間隔保持材を介在させて接着剤で接着、シールし、透明ガラス板の間に断熱空間を形成した複層透明板が知られている（特許文献１）。この複層透明板は冷凍ショーケースの透明扉などに使用されるものであるが、透明ガラス板が耐衝撃強度に劣るため、衝撃を受けると割れる心配があり、また、断熱空間内の水分に起因する曇りを防止するために、間隔保持枠内に乾燥剤を保持させなければならないし、この乾燥剤の交換が困難であるという問題もあった。
【特許文献１】特許第２８０４５３６号公報
【発明の開示】
【発明が解決しようとする課題】
【０００４】
本発明は上記の問題に鑑みてなされたものであって、良好な断熱作用を備え、結露や曇りが生じ難く、耐衝撃性を有し、軽量である透視性に優れた透明中空プレートを提供することを解決すべき課題としている。
【課題を解決するための手段】
【０００５】
上記の課題を解決するため、本発明の透明中空プレートは、非晶質のポリエチレンテレフタレート板を間隔をあけて並行に二枚重ね、その四周縁を溶着して中空層を形成した中空プレートであって、このプレートの中空層を形成した部分の全光線透過率が４０％以上、ヘーズが３％以下であることを特徴とするものである。
【０００６】
本発明の透明中空プレートにおいては、溶着した四周縁の少なくとも二箇所に、中空層に通じる通気孔を形成してもよい。また、中空層に、間隔をあけた二枚の非晶質のポリエチレンテレフタレート板の一部と連結して支持する補強部を形成してもよい。
【発明の効果】
【０００７】
本発明の透明中空プレートは、溶着した四周縁の内側に中空層が形成され、この中空層が断熱作用を発揮するので、例えば保冷設備や食品製造の保冷ライン、保冷車両、空調設備などの覗き窓等に使用しても、ポリエチレンテレフタレート板の表面に結露や曇りを生じることは殆どない。また、非晶質のポリエチレンテレフタレート板が良好な耐衝撃性を有し、かつ、その四周縁が溶着されているため、本発明の透明中空プレートは耐衝撃強度や剛性が大きく、外部からの衝撃力を受けても破損し難い。しかも、本発明の透明中空プレートは、中空層を形成した部分の全光線透過率が４０％以上、ヘーズが３％以下であるため、透明性が良好で透視性に優れており、覗き窓の材料板として好適である。
【０００８】
また、四周縁の少なくとも二箇所に、中空層に通じる通気孔を形成した透明中空プレートは、中空層内の水分が冷却されてポリエチレンテレフタレート板の内面に曇りを生じた場合に、一方の通気孔から空気を中空層内に給気して他方の通気孔から排気することにより、ポリエチレンテレフタレート板の内面の曇りを簡単に除去することができる。
【０００９】
また、中空層に、間隔をあけた二枚の非晶質のポリエチレンテレフタレート板の一部と連結して支持する補強部を形成した透明中空プレートは、中空層が大きな面積であっても凹んだりすることがない。特に薄いポリエチレンテレフタレート板を使用しても、補強部により中空層の強度や剛性が保たれるので軽量化が可能となる。
【発明を実施するための最良の形態】
【００１０】
以下、図面を参照して本発明の具体的な実施形態を詳述する。
【００１１】
図１は本発明の一実施形態に係る透明中空プレートの平面図、図２は同透明中空プレートの断面図である。
【００１２】
この透明中空プレートＰ１は、非晶質のポリエチレンテレフタレート板１，１を上下に間隔をあけて並行に二枚重ねると共に、これらの四周縁の空間部分に、同じ非晶質のポリエチレンテレフタレートよりなる帯板状のスペーサ２を挟んで溶着一体化することにより、四周縁の内側に中空層３を形成したものである。
【００１３】
ポリエチレンテレフタレート板１は、良好な耐衝撃性と透明性とを備えた非晶質のものを使用することが必要であって、このような非晶質のポリエチレンテレフタレート板の代表例としては、ポリエチレンテレフタレートにおけるエチレングリコール成分の１０〜７０％を１，４−シクロヘキサンジメタノールに置換したポリエチレンテレフタレート板（例えばイーストマンケミカル社製の非晶質ポリエチレンテレフタレート樹脂「ＳＰＥＣＡＲ」を押出成形した板）が挙げられる。この非晶質のポリエチレンテレフタレート板は、ポリメチルメタクリレート板よりも耐衝撃強度が大きく、ポリ塩化ビニル板のように有害な塩素を含まず、ポリカーボネート板と遜色のない透明性を有し、しかも、ポリカーボネート板よりも融点が低くて高周波溶着が容易である等の利点があり、透明中空プレートの材料板として最適である。
【００１４】
この透明中空プレートＰ１が良好な透明性と優れた透視性を具備するには、中空層３を形成した部分の全光線透過率を４０％以上、ヘーズを３％以下、好ましくは、それぞれを７０％以上、１％以下とする必要があり、そのためには、二枚のポリエチレンテレフタレート板１，１の合計厚みを２０ｍｍ以下にする必要がある。合計厚みを更に薄くすると、全光線透過率が一層高くなり、ヘーズが一層低くなって、透明性や透視性が更に向上することになるが、機械的強度の低下が大きくなるので、一枚のポリエチレンテレフタレート板１の厚さは、最低でも１ｍｍとすることが好ましい。中空層３を形成した部分の好ましい全光線透過率は７０％以上、好ましいヘーズは１％以下であるから、ポリエチレンテレフタレート板１，１の好ましい合計厚みは１０ｍｍ以下、更に好ましい合計厚みは８ｍｍ以下である。
【００１５】
なお、この実施形態では、二枚のポリエチレンテレフタレート板１，１を同じ厚みとしているが、異なる厚みとしてもよいことは言うまでもない。また、ポリエチレンテレフタレート板１，１の大きさは、透明中空プレートＰ１の用途に見合った大きさとすればよく、例えば１００×１００ｃｍ程度である。具体的な用途である食品製造の保冷ラインの覗き窓等の場合には、通常、一辺が１０ｃｍ程度の大きさとすればよい。
【００１６】
帯板状のスペーサ２は、二枚のポリエチレンテレフタレート板１，１の間に中空層３を確保するために四周縁間に挟挿されるものであって、ポリエチレンテレフタレート板１と同じ非晶質のポリエチレンテレフタレートからなるスペーサが使用される。中空層３の厚みは、断熱効果を考慮すると、２〜１０ｍｍとすることが好ましく、従って、スペーサ２として２〜１０ｍｍの厚みを有するものを使用することが好ましい。
【００１７】
二枚のポリエチレンテレフタレート板１，１の四周の溶着は、高周波溶着、超音波溶着、加熱溶着などの公知の溶着方法がいずれも採用可能であるが、これらの中では、短時間で非晶質ポリエチレンテレフタレート板を溶着できるなどの長所を有する高周波溶着が最も好ましく採用される。なお、ポリエチレンテレフタレート板１，１を溶着する際に、湿気を少なくした環境状態で行うことが好ましく、このことにより、中空層３内の水分を少なくできるので、ポリエチレンテレフタレート板１，１の内面での結露や曇りの発生を効果的に防止できる。
【００１８】
上記のような構成の透明中空プレートＰ１を、例えば保冷設備の覗き窓の金属製窓枠に取付けると、中空層３の断熱作用によって覗き窓からの吸熱が防止されると共に、ポリエチレンテレフタレート板１の表面における結露や曇りが防止される。そして、四周縁の内側の中空層３を形成した部分の全光線透過率が４０％以上、ヘーズが３％以下であり、透明性が良好で透視性に優れるため、この覗き窓の透明中空プレートＰ１を通して設備内部を明瞭に透視することができる。しかも、この透明中空プレートＰ１は、耐衝撃性や他の機械的強度が大きい非晶質のポリエチレンテレフタレート板１を使用しているため、外部から衝撃力を受けても簡単に破損する心配がない。
そして、四周縁はポリエチレンテレフタレート板１，１とスペーサ２との３重構造となっているので、剛性を有していて、撓んだりすることがないうえ、穴開け加工ができて、他部材への取付けも容易となる。
【００１９】
なお、上記実施形態ではスペーサ２を使用することで中空層３を確保したが、他の如何なる形態で確保してもよい。例えば、ポリエチレンテレフタレート板を真空成形などの２次加工を行って中央部分に凹部を形成した異形板材を用い、この２枚の異形板材の凹部を対向させて重ね合せた後に四周縁を溶着することにより、或はこの異形板材の凹部を平板表面に重ね合せて溶着することなどによっても確保できる。さらに、後述する図５に示す補強部で、上下二枚の非晶質ポリエチレンテレフタレート板１，１を部分的に連結して支持して、中空層の強度や剛性を高めてもよい。
【００２０】
さらに、ポリエチレンテレフタレート板に顔料や染料などを添加して３００ｎｍ以下の、好ましくは５００ｎｍ以下の波長を遮断して昆虫の飛来を防止することで、昆虫などが食品などに混入する恐れを皆無にすることができる。この場合は、全光線透過率が４０〜６０％に、ヘーズが０．２〜１．０％程度となる。また、銅や銀などの抗菌剤を添加して抗菌作用を付与したり、防黴剤を添加して万一結露などが生じたとしても黴が発生しないようにしたりすることもできる。さらに、表面に導電材などを含む制電層を形成して制電機能を付与して塵の付着を防止したり、赤外線吸収剤を添加して熱線吸収を行わせて、室内の温度の上昇を効率的に防止できる。
【００２１】
図３は本発明の他の実施形態に係る透明中空プレートの平面図、図４は図３のＡ−Ｂ−Ｃ−Ｄ線に沿った断面図である。
【００２２】
この透明中空プレートＰ２は、スペーサ２を挟んで溶着した二枚のポリエチレンテレフタレート板１，１の四周縁に、中空層３に通じる二つの通気孔４，４がスペーサ２を貫通して形成されており、また、簡単にネジ止めできるように適当数のタップ孔５が四周縁に形成されている。通気孔４，４は、一方が給気孔、他方が排気孔として使用されるものであって、一方の通気孔から供給された空気が中空層３内を満遍なく流れて他方の通気孔から排気されるように、双方の通気孔４，４を略対角線方向に隔たった二箇所に形成している。なお、この通気孔４は、通常状態においては、栓（不図示）などを用いて閉じられていて、空気の流通を防止していて断熱性能が発揮されるようになされている。また、通気孔４は四周縁の三箇所もしくはそれ以上の箇所に形成してもよい。
【００２３】
この透明中空プレートＰ２の他の構成は前述した透明中空プレートＰ１のそれと同様であるから、図３、図４において対応する部材に同一の符号を付すに止め、説明を省略する。
【００２４】
このような透明中空プレートＰ２は、前述した透明中空プレートＰ１と同様の作用効果に加えて、中空層３内の水分が冷却されてポリエチレンテレフタレート板１の内面に曇りを生じた場合に、栓などを取り外して通気孔４，４を開き、一方の通気孔４から空気を中空層３内に給気して他方の通気孔４から排気することにより、ポリエチレンテレフタレート板１の内面の曇りを簡単に除去できるといった効果を併せて奏する。
【００２５】
図５は本発明の更に他の実施形態に係る透明中空プレートの部分破断斜視図である。
【００２６】
この透明中空プレートＰ３は、中空層３の内部に、上下二枚の非晶質ポリエチレンテレフタレート板１，１を部分的に連結して支持する補強部６を複数設けている。この補強部６としては、中空プレートＰ３の透明性、透視性を損なわず、かつ、上下二枚のポリエチレンテレフタレート板１，１に溶着できる合成樹脂片が使用され、特に、非晶質ポリエチレンテレフタレートの条材やブロックなどが好ましく使用される。これらの補強材６は、互いに隙間をあけて配設することにより、一方の通気孔４から供給した空気が補強材６の相互間の隙間を通って中空層３を流れ、他方の通気孔４から排気されるように構成することが好ましい。
【００２７】
この透明中空プレートＰ３の他の構成は、前述した透明中空プレートＰ２のそれと同様であるので、図５において対応する部材に同一の符号を付すに止め、説明を省略する。
【００２８】
このような透明中空プレートＰ３は、前述した透明中空プレートＰ２の作用効果に加えて、補強部６により強度や剛性が向上するため、中空層３が大きな面積であっても上下のポリエチレンテレフタレート板１，１が凹んだりすることがなく、また、薄いポリエチレンテレフタレート板１，１を使用しても補強部６により強度や剛性が保たれるので軽量化が可能になるといった効果を併せて奏する。
【００２９】
図６は本発明の更に他の実施形態に係る透明中空プレートの部分破断平面図である。
【００３０】
この透明中空プレートＰ４は、乾燥剤を填装した通気性の長袋７を中空層３に収容し、この長袋７の一端の取出用ガイド紐７ａを一方の通気孔４から外部へ引出した状態で、該通気孔４にプラスチック製のネジ栓８を螺込むと共に、他方の通気孔４にも同様のネジ栓８を螺込んだものである。
【００３１】
この透明中空プレートＰ４の他の構成は、前述した透明中空プレートＰ２のそれと同様であるので、図６において対応する部材に同一の符号を付すに止め、説明を省略する。
【００３２】
このような透明中空プレートＰ４は、前述した透明中空プレートＰ２の作用効果に加えて、長袋７に填装された乾燥剤により中空層３内の水分が吸収されるので、上下のポリエチレンテレフタレート板１，１の内面に曇りを生じることが殆どない。そして、乾燥剤が古くなれば、一方の通気孔４のネジ栓８を外して取出用ガイド紐７ａを手にもって長袋７を引き出し、新しい乾燥剤が填装された長袋７に交換することもできる。なお、長袋７を中空層３内に収納する代わりに、ネジ栓８を外して通気孔４から乾燥空気や水分を含まない低熱伝導性ガスを供給して中空層３内の空気を置換したのち、ネジ栓８を螺込んで密閉することにより、内面の曇りを防止してもよい。
【図面の簡単な説明】
【００３３】
【図１】本発明の一実施形態に係る透明中空プレートの平面図である。
【図２】同透明中空プレートの断面図である。
【図３】本発明の他の実施形態に係る透明中空プレートの平面図である。
【図４】図３のＡ−Ｂ−Ｃ−Ｄ線に沿った断面図である。
【図５】本発明の更に他の実施形態に係る透明中空プレートの部分破断斜視図である。
【図６】本発明の更に他の実施形態に係る透明中空プレートの部分破断平面図である。
【符号の説明】
【００３４】
１    非晶質のポリエチレンテレフタレート板
２    帯板状のスペーサ
３    中空層
４    通気孔
６    補強部
Ｐ１，Ｐ２，Ｐ３，Ｐ４  透明中空プレート
【図１】
2006326947.tif 000003
【図２】
2006326947.tif 000004
【図３】
2006326947.tif 000005
【図４】
2006326947.tif 000006
【図５】
2006326947.tif 000007
【図６】
2006326947.tif 000008